(57)【特許請求の範囲】
【請求項１】
宝石を支持する宝石支持台であって、
中央に開口部を有する環状部と、
前記環状部の前記開口部側の縁から前記開口部の中央に向けて突出し、前記縁に沿って互いに間隔を空けて配置された複数本の支持片と、
前記環状部から上方に延出し、前記開口部の周囲に配置される複数本の第１押さえ爪と、
を備え、
前記開口部に配置される前記宝石の下方を前記複数本の支持片で支持し、前記宝石の外周を前記複数本の第１押さえ爪によって押さえる、宝石支持台。
【請求項２】
前記複数本の支持片のそれぞれは、斜め上方に延出するよう設けられる、請求項１記載の宝石支持台。
【請求項３】
前記複数本の第１押さえ爪は、前記開口部の周囲に互いに等間隔で配置される、請求項１または請求項２に記載の宝石支持台。
【請求項４】
前記環状部を上方からみて、前記複数本の支持片のそれぞれの両側に前記第１押さえ爪が配置される、請求項１から請求項３のいずれか１項に記載の宝石支持台。
【請求項５】
前記第１押さえ爪には、前記宝石の外周部分が嵌め込まれる溝部が設けられる、請求項１から請求項４のいずれか１項に記載の宝石支持台。
【請求項６】
前記環状部は、小宝石を配置する凹部を有する、請求項１から請求項５のいずれか１項に記載の宝石支持台。
【請求項７】
前記環状部を上方からみて、前記凹部における前記開口部とは反対側に設けられる第２押さえ爪を有し、
前記第１押さえ爪と前記第２押さえ爪との間で、前記凹部に配置される前記小宝石の外周を押さえる、請求項６記載の宝石支持台。
【請求項８】
前記環状部は、複数の前記凹部および複数の前記第２押さえ爪を有する、請求項７記載の宝石支持台。
【請求項９】
前記環状部を上方からみて、前記凹部の中央部分に孔が設けられる、請求項６から請求項８のいずれか１項に記載の宝石支持台。
【請求項１０】
請求項１から請求項９のいずれか１項に記載の宝石支持台と、
前記宝石支持台に配置された宝石と、
を備える装飾具。
【発明の詳細な説明】
【技術分野】
【０００１】
本発明は、ダイヤモンドなどの宝石を支持する宝石支持台およびこの宝石支持台に宝石を配置した装飾具に関するものである。
【背景技術】
【０００２】
ダイヤモンド、ルビー、サファイアなどの宝石を支持する宝石支持台には、宝石を確実に固定することに加え、デザイン性に優れ、宝石の輝きを損なわない構造が求められる。特許文献１には、宝石を保持する保持枠において、内面を鏡面とした反射底を有する宝石保持枠が開示される。
【０００３】
特許文献２には、宝石の輝きを強調し大きく見せるための金属枠に、宝石を簡単且つ的確に固定し、その飾り枠を装身具の宝石取付け台に対し正しい位置に正確且つ確実に固定する宝石取り付け構造が開示される。
【０００４】
特許文献３には、複数の装飾用玉と、この複数の装飾用玉を係止する複数の爪部とを備える装飾具において、上記複数の装飾用玉のうち少なくとも１つの装飾用玉が、隣接する複数の装飾用玉により係止されている構成が開示される。
【先行技術文献】
【特許文献】
【０００５】
【特許文献１】特開平０８−２９９０３６号公報
【特許文献２】特開２０１０−１１９６９９号公報
【特許文献３】特開２００８−１３６７４７号公報
【発明の概要】
【発明が解決しようとする課題】
【０００６】
宝石支持台において、宝石の支持部分を細くするほど宝石の存在感を強調することができ、宝石に多くの光を届けて宝石に多くの輝きを与えることができる。しかし、支持部分を細くするほど宝石の支持の安定性や強度の低下を招く。
【０００７】
本発明の目的は、宝石を確実に支持固定し、デザイン性に優れ、宝石の輝きを損なわない構造の宝石支持台を提供することである。
【課題を解決するための手段】
【０００８】
本発明の一態様は、宝石を支持する宝石支持台であって、中央に開口部を有する環状部と、環状部の開口部側の縁から開口部の中央に向けて突出し、縁に沿って互いに間隔を空けて配置された複数本の支持片と、環状部から上方に延出し、開口部の周囲に配置される複数本の第１押さえ爪と、を備え、開口部に配置される宝石の下方を複数本の支持片で支持し、宝石の外周を前記複数本の第１押さえ爪によって押さえる宝石支持台である。
【０００９】
このような構成によれば、環状部の開口部に宝石を配置すると、開口部の縁から延出する複数本の支持片によって宝石が下方から支持される。すなわち、宝石の下方の支持を複数本の支持片によって行うため、宝石を環状部の縁の全体で支持する必要がない。これにより、開口部を広くできるため、宝石の上方のみならず、下方や側方からも十分な光を届けることができる。さらに、宝石の外周が複数本の第１押さえ爪によって押さえられるため、宝石は確実に固定される。
【００１０】
上記宝石支持台において、複数本の支持片のそれぞれは、斜め上方に延出するよう設けられることが好ましい。これにより、環状部の開口部に配置された宝石は、開口部内で浮いているように支持される。
【００１１】
上記宝石支持台において、複数本の第１押さえ爪は、開口部の周囲に互いに等間隔で配置されることが好ましい。これにより、複数本の第１押さえ爪によって宝石をバランス良く押さえることができる。
【００１２】
上記宝石支持台において、環状部を上方からみて、複数本の支持片のそれぞれの両側に第１押さえ爪が配置されることが好ましい。これにより、１つの支持片と、この支持片に対して両側に配置される２つの第１押さえ爪とによって宝石を上下３点で支持することができる。
【００１３】
上記宝石支持台において、第１押さえ爪には、宝石の外周部分が嵌め込まれる溝部が設けられることが好ましい。これにより、第１押さえ爪の溝部に宝石に外周部分が嵌め込まれ、確実に固定することができる。
【００１４】
上記宝石支持台において、環状部は、小宝石を配置する凹部を有していてもよい。これにより、環状部の開口部に配置される宝石を、凹部に配置される小宝石によって飾ることができる。
【００１５】
上記宝石支持台において、環状部を上方からみて、凹部における開口部とは反対側に設けられる第２押さえ爪を有し、第１押さえ爪と第２押さえ爪との間で、凹部に配置される小宝石の外周を押さえるようにしてもよい。これにより、宝石を押さえる第１押さえ爪を小宝石を押さえる爪として共用して、無駄なく宝石および小宝石を固定することができる。
【００１６】
上記宝石支持台において、環状部は、複数の凹部および複数の第２押さえ爪を有していてもよい。これにより、宝石の周囲に複数の小宝石を配置することができる。
【００１７】
上記宝石支持台において、環状部を上方からみて、凹部の中央部分に孔が設けられることが好ましい。これにより、凹部に配置した小宝石の下方から十分な光を届けることができる。
【００１８】
本発明の一態様は、上記宝石支持台と、宝石支持台に配置された宝石と、を備える装飾具である。このような構成によれば、宝石を確実に固定しつつ、宝石の上方のみならず、下方や側方からも十分な光を届けることができる装飾具が実現する。
【発明の効果】
【００１９】
本発明によれば、宝石を確実に支持固定し、デザイン性に優れ、宝石の輝きを損なわない構造の宝石支持台を提供することが可能となる。
【図面の簡単な説明】
【００２０】
【図１】図１は、本実施形態に係る宝石支持台の構成を例示する上方からみた斜視図である。
【図２】図２は、本実施形態に係る宝石支持台の構成を例示する下方からみた斜視図である。
【図３】図３（ａ）および（ｂ）は、本実施形態に係る宝石支持台の構成を例示する平面図および側面図である。
【図４】図４は、本実施形態に係る宝石支持台に宝石を配置した状態を例示する斜視図である。
【図５】図５（ａ）および（ｂ）は、装飾具の製作方法を例示する図である。
【図６】図６（ａ）および（ｂ）は、装飾具の製作方法を例示する図である。
【図７】図７は、装飾具の平面図である。
【図８】図８は、装飾具を下からみた斜視図である。
【図９】図９は、比較例に係る宝石支持台を例示する斜視図である。
【発明を実施するための形態】
【００２１】
以下、本発明の実施形態を図面に基づいて説明する。なお、以下の説明では、同一の部材には同一の符号を付し、一度説明した部材については適宜その説明を省略する。
【００２２】
（宝石支持台の構成）
図１は、本実施形態に係る宝石支持台の構成を例示する上方からみた斜視図である。
図２は、本実施形態に係る宝石支持台の構成を例示する下方からみた斜視図である。
図３（ａ）および（ｂ）は、本実施形態に係る宝石支持台の構成を例示する平面図および側面図である。
図４は、本実施形態に係る宝石支持台に宝石を配置した状態を例示する斜視図である。
なお、本実施形態では、説明の便宜上、宝石を配置する側を「上」とする。また、宝石には模造宝石も含まれる。
【００２３】
本実施形態に係る宝石支持台１は、中央に開口部１０ｈを有する環状部１０と、環状部１０の開口部１０ｈ側の縁から開口部１０ｈの中央に向けて突出する複数本の支持片２０と、環状部１０から上方に延出する第１押さえ爪３１と、を備える。
【００２４】
環状部１０は、開口部１０ｈに宝石Ｓ１を配置した状態で宝石Ｓ１を支持する石座となる部分である。環状部１０には凹部１５が設けられていてもよい。本実施形態では、上からみて環状部１０の周方向に複数の凹部１５が等間隔で設けられる。凹部１５には小宝石Ｓ２が配置され、中央の開口部１０ｈに配置される宝石Ｓ１の周りを飾ることができる。
【００２５】
環状部１０の開口部１０ｈに宝石Ｓ１を配置すると、環状部１０の開口部１０ｈ側の縁から突出する複数の支持片２０によって宝石Ｓ１の下方が支持される。宝石支持台１では、宝石Ｓ１の下方の支持を複数本の支持片２０によって行うため、宝石Ｓ１を環状部１０の開口部１０ｈ側の縁の全体で支持する必要がない。これにより、宝石Ｓ１の下方を支持する部材の面積を狭くして、その分、開口部１０ｈの面積を広くすることができる。開口部１０ｈを広くできることで、宝石Ｓ１の下方から十分な光を宝石Ｓ１へ届けることができる。また、隣り合う支持片２０の間からも光が届くため、宝石Ｓ１の側方にも十分な光を届けることができる。
【００２６】
本実施形態では、環状部１０に４つの支持片２０が設けられる。４つの支持片２０は、上からみて９０度間隔で配置される。これにより、宝石Ｓ１の下方を４箇所の支持片２０で支える。支持片２０の数が少ないほど開口部１０ｈの面積を広くできるが、支持強度は低下する。一方、支持片２０の数が多くなると支持強度は高まるが、開口部１０ｈの面積が狭くなる。したがって、支持片２０の数は、３つ以上８つ以下程度が好ましい。
【００２７】
複数本の支持片２０のそれぞれは、環状部１０の開口部１０ｈ側の縁から斜め上方に延出するように設けられることが好ましい。これにより、複数本の支持片２０で宝石Ｓ１の下方を支持すると、開口部１０ｈ内で宝石Ｓ１が浮いているように支持される。
【００２８】
環状部１０に設けられる複数本の第１押さえ爪３１は、開口部１０ｈに配置された宝石Ｓ１の外周を押さえる。宝石支持台１では、開口部１０ｈに配置された宝石Ｓ１の下方を複数本の支持片２０で支え、宝石Ｓ１の外周を複数本の第１押さえ爪３１で押さえることで、宝石Ｓ１を確実に固定することができる。
【００２９】
複数本の第１押さえ爪３１は、開口部１０ｈの周囲に互いに等間隔で配置されることが好ましい。これにより、複数本の第１押さえ爪３１によって宝石Ｓ１をバランス良く押さえることができる。本実施形態では、４つの支持片２０のそれぞれの両側に第１押さえ爪３１が配置される。すなわち、４つの支持片２０のそれぞれに２つの第１押さえ爪３１が１つずつ両側に配置されることで合計８つの第１押さえ爪３１が設けられる。８つの第１押さえ爪３１は、上からみて等間隔（４５度の間隔）で配置される。これにより、宝石Ｓ１の確実な固定とともに、デザイン的な安定感を得ることができる。
【００３０】
第１押さえ爪３１には、開口部１０ｈに配置された宝石Ｓ１の外周部分が嵌め込まれる溝部３１ａを備える。例えば、宝石Ｓ１がブリリアントカットされたダイヤモンドの場合、ガードル部分に合わせて溝部３１ａが形成される。これにより、第１押さえ爪３１の溝部３１ａがガードル部分に嵌まり、確実に宝石Ｓ１の外周を押さえて固定することができる。
【００３１】
環状部１０に凹部１５が設けられている場合、環状部１０を上方からみて、凹部１５における開口部１０ｈとは反対側に第２押さえ爪３２が設けられる。第２押さえ爪３２は環状部１０の外周側に立設され、環状部１０の内周側に立設される第１押さえ爪３１との間で小宝石Ｓ２を押さえる役目を果たす。
【００３２】
本実施形態では、環状部１０に８つの凹部１５が等間隔に設けられ、凹部１５のそれぞれに対応して第２押さえ爪３２が設けられる。環状部１０の上からみると、８つの第２押さえ爪３２は、８つの第１押さえ爪３１と周方向に半ピッチずれた位置となる。これにより、凹部１５に小宝石Ｓ２を配置した状態で、１つの小宝石Ｓ２を２つの第１押さえ爪３１と１つの第２押さえ爪３２との３点で押さえることができる。
【００３３】
第１押さえ爪３１は、例えば図１、図３（ｂ）に示すように、凹部１５に配置された小宝石Ｓ２の外周部分が嵌め込まれる溝部３１ｂを備える。凹部１５に配置された小宝石Ｓ２の外周部分は、その凹部１５に面して設けられた２つの第１押さえ爪３１の溝部３１ｂに嵌め込まれる。例えば、小宝石Ｓ２がブリリアントカットされたダイヤモンドの場合、ガードル部分に合わせて溝部３１ｂが形成される。第１押さえ爪３１は、宝石Ｓ１の押さえとともに小宝石Ｓ２の押さえとしても用いられることから、第１押さえ爪３１の共用によって無駄なく宝石Ｓ１および小宝石Ｓ２を固定することができる。
【００３４】
また、凹部１５の中央部分には孔１５ｈが設けられる。これにより、凹部１５に配置した小宝石Ｓ２の下方から小宝石Ｓ２へ十分な光を届けることができる。
【００３５】
本実施形態に係る宝石支持台１に宝石Ｓ１および小宝石Ｓ２が配置されることで、装飾具１００が構成される（図４参照）。宝石支持台１を用いた装飾具１００では、宝石Ｓ１の下方の支持を複数本の支持片２０で行うため、宝石Ｓ１の下方や側方から十分な光を宝石Ｓ１に届けることができる。また、支持片２０および第１押さえ爪３１によって宝石Ｓ１を確実に固定でき、第１押さえ爪３１および第２押さえ爪３２によって小宝石Ｓ２を確実に固定しつつ、宝石Ｓ１および小宝石Ｓ２の上方のみならず、下方や側方から十分な光を届けることができる装飾具１００が実現する。
【００３６】
（装飾具の製作方法）
図５および図６は、装飾具の製作方法を例示する図である。
先ず、図５（ａ）に示すように、本実施形態に係る宝石支持台１を用意する。次に、図５（ｂ）に示すように、宝石支持台１の環状部１０の中央に設けられた開口部１０ｈに宝石Ｓ１を配置する。この際、第１押さえ爪３１の先端部分は曲げられておらず、複数本の第１押さえ爪３１の内側へ宝石Ｓ１を上から押し込むことで、第１押さえ爪３１の溝部３１ａに宝石Ｓ１の外周部分が嵌め込まれる。また、環状部１０の複数の凹部１５のそれぞれに小宝石Ｓ２を配置する。
【００３７】
次に、図６（ａ）および（ｂ）に示すように、第１押さえ爪３１の先端部分を宝石Ｓ１側に折り曲げて宝石Ｓ１を押さえるようにする。これにより、宝石Ｓ１の下方は支持片２０によって支持され、宝石Ｓ１の上方は第１押さえ爪３１によって押さえられる。また、第２押さえ爪３２の先端部分を小宝石Ｓ２側に折り曲げて小宝石Ｓ２を押さえるようにする。これにより、小宝石Ｓ２は第１押さえ爪３１に押し当てられるとともに、第２押さえ爪３２によって固定される。宝石支持台１に宝石Ｓ１および小宝石Ｓ２が固定されることで装飾具１００が完成する。
【００３８】
図７は、装飾具の平面図である。
図８は、装飾具を下からみた斜視図である。
本実施形態に係る宝石支持台１を用いた装飾具１００では、中央に宝石Ｓ１が配置され、その周囲に８つの小宝石Ｓ２が配置されたデザインを有する。上からみると、宝石Ｓ１および小宝石Ｓ２は８つの第１押さえ爪３１および８つの第２押さえ爪３２によってバランスよく固定される。
【００３９】
また、装飾具１００を下からみると、開口部１０ｈに配置された宝石Ｓ１は４つの支持片２０によって支持されるため、開口部１０ｈの中央のみならず、各支持片２０の間からも光が宝石Ｓ１へ届くようになる。小宝石Ｓ２には、凹部１５の孔１５ｈから光が届く。これにより、宝石Ｓ１および小宝石Ｓ２の支持部材による光の遮りを必要以上に生じさせず、宝石Ｓ１および小宝石Ｓ２の上方のみならず下方や側方からも十分な光を届けて宝石Ｓ１および小宝石Ｓ２の輝きを得られるようになる。
【００４０】
（比較例）
図９は、比較例に係る宝石支持台を例示する斜視図である。
比較例に係る宝石支持台１Ｂは、中央に開口部１０ｈを有する環状部１０Ｂと、環状部１０Ｂから上方に延出し、開口部１０ｈの周囲に配置される複数本の第１押さえ爪３１Ｂと、環状部１０Ｂに設けられる複数の凹部１５Ｂと、環状部１０Ｂを上方からみて、凹部１５における開口部１０ｈとは反対側に設けられる第２押さえ爪３２Ｂと、を備える。宝石支持台１Ｂでは、開口部１０ｈに宝石Ｓ１を配置すると、宝石Ｓ１の下方を環状部１０の開口部１０ｈ側の縁の全体で支持する構成となっている。すなわち、宝石支持台１Ｂでは、本実施形態に係る宝石支持台１のような支持片２０は設けられていない。
【００４１】
比較例に係る宝石支持台１Ｂでは、環状部１０Ｂの開口部１０ｈ側の縁の全体で宝石Ｓ１を支持するため、本実施形態に係る宝石支持台１と比べて開口部１０ｈの面積が狭くなる。これにより、比較例に係る宝石支持台１Ｂでは、本実施形態に係る宝石支持台１よりも宝石Ｓ１の下方や側方からの光の取り込み量が少なくなる。
【００４２】
また、環状部１０Ｂの開口部１０ｈ側の縁の全体で宝石Ｓ１を支持する構成のため、環状部１０Ｂの材料の量が環状部１０に比べて多くなる。したがって、本実施形態に係る宝石支持台１のほうが、比較例に係る宝石支持台１Ｂに比べて軽量となる。一例として、シルバーを用いて構成された比較例に係る宝石支持台１Ｂの重量は０．４ｇであり、同じシルバーを用いて構成された本実施形態に係る宝石支持台１の重量は０．１７ｇである。デザインによっては、比較例に係る宝石支持台１Ｂに対して、本実施形態に係る宝石支持台１では３０％から６０％程度の軽量化を図ることができる。
【００４３】
以上説明したように、本実施形態によれば、宝石Ｓ１を確実に支持固定し、デザイン性に優れ、宝石Ｓ１の輝きを損なわない構造の宝石支持台１を提供することが可能となる。
【００４４】
なお、上記に本実施形態およびその適用例を説明したが、本発明はこれらの例に限定されるものではない。例えば、本実施形態では、宝石Ｓ１の周辺に複数の小宝石Ｓ２を配置可能な宝石支持台１を例示したが、１つの小宝石Ｓ２を配置可能な宝石支持台１であってもよいし、宝石Ｓ１のみを配置可能な宝石支持台１であってもよい。
【００４５】
また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００４６】
１，１Ｂ…宝石支持台、１０，１０Ｂ…環状部、１０ｈ…開口部、１５，１５Ｂ…凹部、１５ｈ…孔、２０…支持片、３１，３１Ｂ…第１押さえ爪、３１ａ，３１ｂ…溝部、３２，３２Ｂ…第２押さえ爪、１００…装飾具、Ｓ１…宝石、Ｓ２…小宝石
【要約】
【課題】宝石を確実に支持固定し、デザイン性に優れ、宝石の輝きを損なわない構造の宝石支持台を提供すること。
【解決手段】本発明の一態様は、宝石を支持する宝石支持台であって、中央の開口部の周囲に設けられた環状部と、環状部の開口部側の縁から開口部の中央に向けて突出し、縁に沿って互いに間隔を空けて配置された複数本の支持片と、環状部から上方に延出し、開口部の周囲に配置される複数本の第１押さえ爪と、を備え、開口部に配置される宝石の下方を複数本の支持片で支持し、宝石の外周を前記複数本の第１押さえ爪によって押さえる宝石支持台である。
【選択図】図１【図１】
0006917098.tif 000002
【図２】
0006917098.tif 000003
【図３】
0006917098.tif 000004
【図４】
0006917098.tif 000005
【図５】
0006917098.tif 000006
【図６】
0006917098.tif 000007
【図７】
0006917098.tif 000008
【図８】
0006917098.tif 000009
【図９】
0006917098.tif 000010